(57)【要約】【課題】  １．印刷装置のオペレータの業務負荷を軽減し、デジタルプリント業務の高速化を図る事。  ２．高齢者ならびに非パソコンユーザー層が、簡単に焼き増しプリント注文ができるようにすること。  ３．デジタルプリント依頼中であっても記録媒体を預ける事なく、ユーザーが記録媒体を継続使用できるようにすること。【解決手段】  １．依頼用のインデックスシートに記入された情報を元に、焼き増しプリントを実行させる。  ２．インデックスプリント用の画像データをサムネール画像から作成する。【選択図】  図１
2010004274.tif 000002
【特許請求の範囲】
【請求項１】
所定フォーマットの印刷情報を取り込む第一の入力手段と、前記第一の入力手段を介して、前記印刷情報を読み取る第一の読み取り手段と、画像データが記録された記録媒体から画像データを取り込む第二の入力手段と、前記第二の入力手段を介して画像データを読み取る第二の読み取り手段と、前記第一の読み取り手段から得られる印刷情報に基づいて、前記第二の読み取り手段から所定の画像データを選択する選択手段と、前記第二の読み取り手段を介して選択的に読み取られた画像データを、所定の大きさに変換する画像処理手段と、変換された画像データを印刷する出力手段と、印刷情報あるいは操作情報を表示するための表示手段を有する事を特徴とする画像処理装置。
【請求項２】
前記第二の読み取り手段から読み込まれる単数或いは複数の前記画像データを所定の大きさに変換し、該変換画像および該画像データを識別する為の情報を含み、かつ印刷サイズ、印刷枚数、印刷形式の内少なくとも一つを指定するための情報に対応する画像を形成する画像形成手段と、形成された画像を印刷する出力手段を有することを特徴とする請求項１に記載の画像処理装置。
【請求項３】
前記第二の読み取り手段を介して前記画像データのうちサムネール画像のみを選択的に読み出し、該画像データのサムネールを所定の大きさに変換し、該変換画像および該画像データを識別する為の情報を含み、かつ印刷サイズ、印刷枚数、印刷形式の内、少なくとも一つを指定するための情報に対応する画像を形成する画像形成手段と、形成された画像を印刷する出力手段を有することを特徴とする請求項１に記載の画像処理装置。
【請求項４】
前記所定フォーマットの印刷情報は、印刷する画像データを特定し得る単数或いは複数のプリント画像および該画像データを識別する為の情報を含み、印刷サイズ、印刷枚数、印刷形式の少なくとも一つを有することを特徴とする請求項１に記載の画像処理装置。
【請求項５】
前記所定フォーマットの印刷情報は、印刷する画像データが記録されている記録媒体もしくは記録装置を識別できる情報を含む事を特徴とする請求項１に記載の画像処理装置。
【請求項６】
前記所定フォーマットの印刷情報は、印刷する画像データが記録されている記録媒体における該画像データの記録位置に関する物理的情報を識別できる情報を含む事を特徴とする請求項１に記載の画像処理装置。
【請求項７】
前記所定フォーマットの印刷情報は、印刷する画像データが記録されているインターネット上のＵＲＬを含む事を特徴とする請求項１に記載の画像処理装置。
【請求項８】
前記第一の入力手段は、光電変換素子により構成されるスキャナ機能を有し、前記所定フォーマットの印刷情報を電子データに変換することを特徴とする請求項１に記載の画像処理装置。
【請求項９】
前記第一の読み取り手段は、文字認識手段を有し、前記第一の入力手段により電子データ化された情報から、印刷する画像データを特定する番号もしくは名称および、印刷サイズ、印刷枚数、印刷形式の少なくとも一つを抽出することを特徴とする請求項１に記載の画像処理装置。
【請求項１０】
前記第一の読み取り手段は、文字認識手段を有し、前記第一の入力手段により電子データ化された情報から、印刷する画像データが記録されている記録媒体もしくは記録装置を識別できる情報を抽出することを特徴とする請求項１に記載の画像処理装置。
【請求項１１】
前記第一の読み取り手段は、文字認識手段を有し、前記第一の入力手段により電子データ化された情報から、印刷する画像データが記録されている記録媒体における該画像データの記録位置に関する物理的情報を識別できる情報を抽出することを特徴とする請求項１に記載の画像処理装置。
【請求項１２】
前記第一の読み取り手段は、文字認識手段を有し、前記第一の入力手段により電子データ化された情報から、印刷する画像データが記録されているインターネット上のＵＲＬを抽出することを特徴とする請求項１に記載の画像処理装置。
【請求項１３】
前記第一の読み取り手段から得られる印刷情報に基づいて、前記第二の読み取り手段から所定の画像データを選択することができない場合には、前記表示手段が警告表示することを特徴とする請求項１に記載の画像処理装置。
【請求項１４】
前記第一の読み取り手段から得られる印刷情報に基づいて、前記第二の読み取り手段から所定の画像データを選択することができない場合には、前記出力手段が警告情報を印刷することを特徴とする請求項１に記載の画像処理装置。
【請求項１５】
前記第一の読み取り手段から得られる印刷情報に基づいて、前記第二の読み取り手段を介して選択的に読み取られる画像データに、前記第一の読み取り手段から得られる印刷情報を、前記記録媒体に記録する記録手段とを有する事を特徴とする請求項１に記載の画像処理装置。
【請求項１６】
前記印刷情報は、ＤＰＯＦに準拠している事を特徴とする請求項１５に記載の画像処理装置。
【請求項１７】
前記第二の読み取り手段を介して読み取り可能な画像データを、前記記録媒体とは異なる他の記録媒体に記録する為の記録手段を有する事を特徴とする請求項１に記載の画像処理装置。
【請求項１８】
前記第二の読み取り手段を介して読み取り可能な画像データを、通信回線を介して接続される記録装置に記録する為の通信手段を有する事を特徴とする請求項１に記載の画像処理装置。
【請求項１９】
前記第二の読み取り手段を介して読み取り可能な画像データを、前記記録媒体とは異なる他の記録媒体に記録し、該記録場所を前記所定フォーマットの印刷情報に出力することを特徴とする請求項１に記載の画像処理装置。
【請求項２０】
前記第二の読み取り手段を介して読み取り可能な画像データを、通信回線を介して接続される記録装置に記録し、該記録場所を前記所定フォーマットの印刷情報に出力することを特徴とする請求項１に記載の画像処理装置。
【請求項２１】
前記第二の読み取り手段により得られる前記画像データに、あらかじめ前記印刷情報が付与されている場合において、前記第一の入力手段に前記印刷情報が入力されない場合には、前記第二の読み取り手段により得られる前記画像データに付与された印刷情報が優先される事を特徴とする請求項１に記載の画像処理装置。
【請求項２２】
前記記録媒体は、携帯移動可能な記憶媒体で構成されることを特徴とする請求項１に記載の画像処理装置。
【請求項２３】
前記記録媒体は、半導体メモリ、磁気メモリ又は光ディスクで構成される携帯型メモリカードであることを特徴とする請求項１に記載の画像処理装置。
【請求項２４】
前記記録媒体は、撮像素子を有する電子カメラに内蔵される半導体メモリ、磁気メモリ又は光ディスクであることを特徴とする請求項１に記載の画像処理装置。
【請求項２５】
前記第二の入力手段は、前記画像処理装置に内蔵されるメモリーカードリーダであることを特徴とする請求項１に記載の画像処理装置
【請求項２６】
前記第二の入力手段は、ＵＳＢケーブルで前記画像処理装置に接続されるメモリーカードリーダであることを特徴とする請求項１に記載の画像処理装置。
【請求項２７】
前記第二の入力手段は、ＵＳＢケーブルで前記画像処理装置に接続される電子カメラであることを特徴とする請求項１に記載の画像処理装置。
【請求項２８】
前記第二の入力手段は、通信回線を介して前記画像処理装置に接続されるメモリーカードリーダであることを特徴とする請求項１に記載の画像処理装置。
【請求項２９】
前記第二の入力手段は、通信回線を介して前記画像処理装置に接続される電子カメラであることを特徴とする請求項１に記載の画像処理装置。
【請求項３０】
所定フォーマットの印刷情報を読み取り可能な画像処理装置の画像処理方法であって、所定のフォーマットの印刷情報を取り込む第一の入力工程と、前記第一の入力工程を介して、前記印刷情報を読み取る第一の読み取り工程と、画像データが記録された記録媒体から画像データを取り込む第二の入力工程と、前記第二の入力工程を介して画像データを読み取る第二の読み取り工程と、前記第一の読み取り工程から得られる印刷情報に基づいて、前記第二の読み取り工程から所定の画像データを選択する選択工程と、前記第二の読み取り工程を介して選択的に読み取られた画像データを、所定の大きさに変換する画像処理工程と、変換された画像データを印刷する出力工程とを有する事を特徴とする画像処理方法。
【請求項３１】
請求項１〜請求項２９のいずれかに記載の画像処理装置を制御するコンピュータが読み出し可能なプログラム。
【請求項３２】
請求項３１に記載したプログラムをコンピュータが読み出し可能な形で格納した記憶媒体。
【発明の詳細な説明】
【技術分野】
【０００１】
本発明は、記録媒体に記録された画像データのプリント処理を制御する画像処理装置および画像処理装置の制御方法ならびにデータ処理方法、およびコンピュータが読み出し可能なプログラムを格納した記憶媒体に関するものである。
【背景技術】
【０００２】
従来、手持ちの画像データ、例えば写真フィルムの各コマ画像をプリントする一般的な方法として、写真の焼き増しサービスがある。この焼き増しサービスは、現像されたフィルムが収納される半透明のネガカバー（ネガホルダー）に焼き増し枚数を記入して、現像所等に持ち込むことにより、現像所等では、プリントする（焼き増しする）画像を特定して、所望の画像を焼き増しすることにより行われる。
【０００３】
また、最近、フィルム上の画像を読み取り、読み取った画像データをＣＤ−ＲＯＭに書き込み、このＣＤ−ＲＯＭから画像データを読み出して、ディスプレイ等の画像表示装置に再生表示するフォトＣＤシステムがある。
【０００４】
このようなフォトＣＤに記録された画像データの、焼き増しサービスの依頼方法としては、ＣＤ−ＲＯＭと該ＣＤ−ＲＯＭに記録されている画像データを特定する為の情報（例えば、インデックスプリント等で確認される画像番号等）を書いたメモを渡す方法が一般的である。
【０００５】
また、急速に普及しつつあるデジタルカメラにより撮影された画像データの場合、ＤＰＯＦ(Digital Print Order Format)という電子データを画像データと共に記録メディアに保存して、ＤＰＥショップやパソコンショップ等に持ち込むことで、希望する画像データのプリントサービスを受けることができる。
【０００６】
あるいは、ＤＰＥショップ或いは、パソコンショップに、通信回線を介して画像データを送り、送信した画像データのプリントサービスを受ける事も最近では可能になっている。
【０００７】
しかしながら、上記ＤＰＯＦによるプリント画像の指定方法や、通信回線を介して所望の画像データを送信する方法は、パソコン或いはデジタルカメラの使用方法に熟練している必要があり、今後予想される高齢者或いは非パソコンユーザーにとっては、その利用方法が難しいのが現実である。
【０００８】
このようなユーザーがデジタルカメラで撮影した画像データのプリントサービスを受ける場合には、従来から行われている記録メディアに記録されている画像データを特定する為の情報（例えば、インデックスプリント等で確認される画像番号等）を書いたメモを渡すか若しくは、インデックスプリントに直接プリント枚数を記入して渡す方法が一般的である。
【０００９】
このような画像プリントサービスを受ける場合、記録媒体に記録されている画像データの中から所望の画像を指示することが必要となる。この為、プリントサービスを受ける客は、記録媒体に記録されている画像データ中の所望の画像を指示するべく、画像に記されている番号や名称を、メモ等により画像プリントサービス先に伝えることが必要である。
【００１０】
一方、画像プリントサービス先では、プリントサービスを依頼する客から指示された番号や名称をもとに、記録媒体に記録されている画像データの中から、客の所望する画像を選定して、プリントすることが必要となる。
【００１１】
一般に、上記のようなプリントサービスを行う為の画像処理装置は、煩雑な操作が必要である。従って、一般の店員が、プリントする画像を選択しプリントを実行することは、容易にはできなかった。
【００１２】
さらに、記録媒体に記録されている画像データの中から、所望の画像を選択する際には人手が介在する為、客の指示どおりの選択が確実に行われない恐れがあると同時に、作業者の業務負荷が大きく効率が良くないという問題があった。
【００１３】
このような問題を解決する為の一方法が、特許文献１に示されている。該発明によると、フィルムに記録された複数の画像および該画像の各々に対する印刷部数を指定する領域を有する一覧リストを読み取り、フィルムに記録された画像各々に対応する印刷部数を認識し、認識の結果に基づいてフィルムに記録された画像を印刷するものである。
【特許文献１】特開平10-224528号公報
【発明の開示】
【発明が解決しようとする課題】
【００１４】
上記の従来例にかかるプリント装置およびプリント指定方法では、画像処理装置のオペレータの業務負荷が大きく効率が良くないばかりか、オペレータによる操作ミスの混入を完全に防止する事は不可能である。
【００１５】
係る問題を解決するために提案された特許文献１にて述べられる方法では、フィルムに記録されている画像および該発明で提案される一覧リストは一対一に対応するものであり、フィルムを記録媒体とする場合には有効である。しかし半導体メモリ等により構成される記録媒体の場合、記録媒体に記録される画像データの数はフィルムに記録されている画像データと比較して莫大であり、全ての読み出し、かつ一覧リストを作成することは困難であった。
【００１６】
また、特許文献１の第二の実施形態で述べられる方法では、フィルムに記録された画像を光ディスクに保存し、一覧リストには該画像データの保存位置情報も書込むことによって、焼き増し印刷時には光ディスクに記録された画像データと、該画像データの記録位置情報を含む一覧リストを使用することで、画像処理装置のオペレータの正確かつ効率的な画像の選択を可能にしている。しかしながら、現在広く普及している半導体メモリの場合には、削除・追加記録・編集等をユーザーが自由に行う事ができるため、一覧リストには、類似した画像が多数存在するうえ記録位置も変化することが予想され、印刷画像を特定する情報としては不十分であった。
【００１７】
また、デジタルカメラで撮影した画像のプリントの場合、多くの場合、半導体メモリ等により構成される記録メディアを印刷装置を備えた店舗に預ける事が必要であり、印刷依頼中は上記記録メディアを使用することができない状況に陥る。
【００１８】
本発明は上記の背景に鑑みてなされたものであり、第一の目的は印刷装置のオペレータの業務負荷を軽減し、デジタルプリント業務の高速化をはかることであり、第二の目的は高齢者ならびに非パソコンユーザー層が、簡単に焼き増しプリント注文ができるようにすることである。そして第三の目的は、デジタルプリント依頼中であっても記録媒体を預ける事なく、ユーザーが記録媒体を継続使用できるようにすることである。
【課題を解決するための手段】
【００１９】
本発明の第一の側面に係る画像処理装置は、
所定フォーマットの印刷情報を取り込む第一の入力手段と、前記第一の入力手段を介して、前記印刷情報を読み取る第一の読み取り手段と、画像データが記録された記録媒体から画像データを取り込む第二の入力手段と、前記第二の入力手段を介して画像データを読み取る第二の読み取り手段と、前記第一の読み取り手段から得られる印刷情報に基づいて、前記第二の読み取り手段から所定の画像データを選択する選択手段と、前記第二の読み取り手段を介して選択的に読み取られた画像データを、所定の大きさに変換する画像処理手段と、変換された画像データを印刷する出力手段と、印刷情報あるいは操作情報を表示するための表示手段を有する事を特徴とする。
【００２０】
本発明の第一の側面に係る画像処理装置は、前記第二の読み取り手段から読み込まれる単数或いは複数の前記画像データを所定の大きさに変換し、該変換画像および該画像データを識別する為の情報を含み、かつ印刷サイズ、印刷枚数、印刷形式の内少なくとも一つを指定するための情報に対応する画像を形成する画像形成手段と、形成された画像を印刷する出力手段を有することを特徴とする。
【００２１】
本発明の第一の側面に係る画像処理装置は、前記第二の読み取り手段を介して前記画像データのうちサムネール画像のみを選択的に読み出し、該画像データのサムネールを所定の大きさに変換し、該変換画像および該画像データを識別する為の情報を含み、かつ印刷サイズ、印刷枚数、印刷形式の内、少なくとも一つを指定するための情報に対応する画像を形成する画像形成手段と、形成された画像を印刷する出力手段を有することを特徴とする。
【００２２】
本発明の第一の側面に係る画像処理装置は、前記所定フォーマットの印刷情報は、印刷する画像データを特定し得る単数或いは複数のプリント画像および該画像データを識別する為の情報を含み、印刷サイズ、印刷枚数、印刷形式の少なくとも一つを有することを特徴とする。
【００２３】
本発明の第一の側面に係る画像処理装置は、前記所定フォーマットの印刷情報は、印刷する画像データが記録されている記録媒体もしくは記録装置を識別できる情報を含む事を特徴とする。
【００２４】
本発明の第一の側面に係る画像処理装置は、前記所定フォーマットの印刷情報は、印刷する画像データが記録されている記録媒体における該画像データの記録位置に関する物理的情報を識別できる情報を含む事を特徴とする。
【００２５】
本発明の第一の側面に係る画像処理装置は、前記所定フォーマットの印刷情報は、印刷する画像データが記録されているインターネット上のＵＲＬを含む事を特徴とする。
【００２６】
本発明の第一の側面に係る画像処理装置は、前記第一の入力手段は、光電変換素子により構成されるスキャナ機能を有し、前記所定フォーマットの印刷情報を電子データに変換することを特徴とする。
【００２７】
本発明の第一の側面に係る画像処理装置は、前記第一の読み取り手段は、文字認識手段を有し、前記第一の入力手段により電子データ化された情報から、印刷する画像データを特定する番号もしくは名称および、印刷サイズ、印刷枚数、印刷形式の少なくとも一つを抽出することを特徴とする。
【００２８】
本発明の第一の側面に係る画像処理装置は、前記第一の読み取り手段は、文字認識手段を有し、前記第一の入力手段により電子データ化された情報から、印刷する画像データが記録されている記録媒体もしくは記録装置を識別できる情報を抽出することを特徴とする。
【００２９】
本発明の第一の側面に係る画像処理装置は、前記第一の読み取り手段は、文字認識手段を有し、前記第一の入力手段により電子データ化された情報から、印刷する画像データが記録されている記録媒体における該画像データの記録位置に関する物理的情報を識別できる情報を抽出することを特徴とする。
【００３０】
本発明の第一の側面に係る画像処理装置は、前記第一の読み取り手段は、文字認識手段を有し、前記第一の入力手段により電子データ化された情報から、印刷する画像データが記録されているインターネット上のＵＲＬを抽出することを特徴とする。
【００３１】
本発明の第一の側面に係る画像処理装置は、前記第一の読み取り手段から得られる印刷情報に基づいて、前記第二の読み取り手段から所定の画像データを選択することができない場合には、前記表示手段が警告表示することを特徴とする。
【００３２】
本発明の第一の側面に係る画像処理装置は、前記第一の読み取り手段から得られる印刷情報に基づいて、前記第二の読み取り手段から所定の画像データを選択することができない場合には、前記出力手段が警告情報を印刷することを特徴とする。
【００３３】
本発明の第一の側面に係る画像処理装置は、前記第一の読み取り手段から得られる印刷情報に基づいて、前記第二の読み取り手段を介して選択的に読み取られる画像データに、前記第一の読み取り手段から得られる印刷情報を、前記記録媒体に記録する記録手段とを有する事を特徴とする。
【００３４】
本発明の第一の側面に係る画像処理装置は、前記第二の読み取り手段を介して読み取り可能な画像データを、前記記録媒体とは異なる他の記録媒体に記録する為の記録手段を有する事を特徴とする。
【００３５】
本発明の第一の側面に係る画像処理装置は、前記第二の読み取り手段を介して読み取り可能な画像データを、通信回線を介して接続される記録装置に記録する為の通信手段を有する事を特徴とする。
【００３６】
本発明の第一の側面に係る画像処理装置は、前記第二の読み取り手段を介して読み取り可能な画像データを、前記記録媒体とは異なる他の記録媒体に記録し、該記録場所を前記所定フォーマットの印刷情報に出力することを特徴とする。
【００３７】
本発明の第一の側面に係る画像処理装置は、前記第二の読み取り手段を介して読み取り可能な画像データを、通信回線を介して接続される記録装置に記録し、該記録場所を前記所定フォーマットの印刷情報に出力することを特徴とする。
【００３８】
前記第二の読み取り手段により得られる前記画像データに、あらかじめ前記印刷情報が付与されている場合において、前記第一の入力手段に前記印刷情報が入力されない場合には、前記第二の読み取り手段により得られる前記画像データに付与された印刷情報が優先される事を特徴とする。
【００３９】
本発明の第一の側面に係る画像処理装置は、前記記録媒体は、携帯移動可能な記憶媒体で構成されることを特徴とする。
【００４０】
本発明の第一の側面に係る画像処理装置は、前記記録媒体は、半導体メモリ、磁気メモリ又は光ディスクで構成される携帯型メモリーカードであることを特徴とする。
【００４１】
本発明の第一の側面に係る画像処理装置は、前記記録媒体は、撮像素子を有する電子カメラに内蔵される半導体メモリ、磁気メモリ又は光ディスクであることを特徴とする。
【００４２】
本発明の第一の側面に係る画像処理装置は、前記第二の入力手段は、前記画像処理装置に内蔵されるメモリーカードリーダであることを特徴とする。
【００４３】
本発明の第一の側面に係る画像処理装置は、前記第二の入力手段は、ＵＳＢケーブルで前記画像処理装置に接続されるメモリーカードリーダであることを特徴とする。
【００４４】
本発明の第一の側面に係る画像処理装置は、前記第二の入力手段は、ＵＳＢケーブルで前記画像処理装置に接続される電子カメラであることを特徴とする。
【００４５】
本発明の第一の側面に係る画像処理装置は、前記第二の入力手段は、通信回線を介して前記画像処理装置に接続されるメモリーカードリーダであることを特徴とする。
【００４６】
本発明の第一の側面に係る画像処理装置は、前記第二の入力手段は、通信回線を介して前記画像処理装置に接続される電子カメラであることを特徴とする。
【００４７】
本発明の第二の側面に係る画像処理方法は、所定フォーマットの印刷情報を読み取り可能な画像処理装置の画像処理方法であって、所定のフォーマットの印刷情報を取り込む第一の入力工程と、前記第一の入力工程を介して、前記印刷情報を読み取る第一の読み取り工程と、画像データが記録された記録媒体から画像データを取り込む第二の入力工程と、前記第二の入力工程を介して画像データを読み取る第二の読み取り工程と、前記第一の読み取り工程から得られる印刷情報に基づいて、前記第二の読み取り工程から所定の画像データを選択する選択工程と、前記第二の読み取り工程を介して選択的に読み取られた画像データを、所定の大きさに変換する画像処理工程と、変換された画像データを印刷する出力工程とを有する事を特徴とする。
【００４８】
本発明の第三の側面に係る記録媒体は、所定フォーマットの印刷情報を読み取り可能な画像処理装置を制御するコンピュータが読み出し可能なプログラムを格納した記憶媒体であって、所定のフォーマットの印刷情報を取り込む第一の入力工程と、前記第一の入力工程を介して、前記印刷情報を読み取る第一の読み取り工程と、画像データが記録された記録媒体から画像データを取り込む第二の入力工程と、前記第二の入力工程を介して画像データを読み取る第二の読み取り工程と、前記第一の読み取り工程から得られる印刷情報に基づいて、前記第二の読み取り工程から所定の画像データを選択する選択工程と、前記第二の読み取り工程を介して選択的に読み取られた画像データを、所定の大きさに変換する画像処理工程と、変換された画像データを印刷する出力工程とを有する事を特徴とする。
【発明の効果】
【００４９】
以上説明したように本発明によれば、印刷依頼用のインデックスシートに記入された情報を元に、焼き増しプリントを実行させることにより、焼き増しプリント時の入力作業によるミスの混入を防止すると共に、印刷時のオペレータの業務効率が大幅に改善される。また。焼き増しを注文する依頼者は、印刷依頼用のインデックスプリント画像から、焼き増ししたい画像を簡単に特定でき、かつ、デジタルカメラやパソコンの操作に詳しくなくても、簡単に注文することが可能になる。
【００５０】
また、本発明によれば、インデックスプリント用の画像データをサムネール画像から作成することにより、印刷依頼用のインデックスシートを作成する場合に、画像データの読み取り時間を大幅に短縮できることになり、印刷業務を効率化させることが可能になる。
【００５１】
また、本発明によれば、ユーザーはデジタルカメラやパソコンを使用することなく簡単に焼き増ししたい画像を特定し、焼き増し枚数や、プリントサイズをプリントサービス業者に依頼することが可能になり、高齢者や非パソコンユーザー層が拡大される。
【００５２】
また、本発明によれば、ユーザーは、画像データが記録されているメモリカードを、プリントサービス業者に預けることなく、焼き増しプリントサービスを受けることが可能になる。
【００５３】
また、本発明によれば、ユーザーは、印刷したい画像データのオリジナル画像データを持っていない場合であっても、印刷依頼用インデックスシートにその記録位置情報が記載されているので、焼き増しプリントサービスを受けることが可能になる。
【発明を実施するための最良の形態】
【００５４】
次に、本発明の詳細を実施例の記述に従って説明する。
【００５５】
以下、添付図面に従って本発明に係る実施形態を詳細に説明する。
【実施例１】
【００５６】
図１は、本発明の好適な実施の形態に係る画像処理装置を使用した画像印刷システムの基本構成を示す図である。
【００５７】
１００は本発明の好適な実施の形態に係る画像処理装置であり、印刷画像データの入力装置であるカードリーダ１０２、印刷情報の入力装置であるスキャナ装置１０４スキャナ装置１０４および文字認識回路１０６、画像データの伸長処理・変倍処理等を行う画像処理回路１０８、画像の表示あるいは警告等を表示するために表示装置１１０、プリント画像および印刷依頼シートを出力するプリンタ１１２、画像処理回路全体を制御するＣＰＵ１１４、ＣＰＵ１１４へ動作指示を行うキーボード等の入力装置１１６、読み込んだ画像を一時的に保存する為のメモリ制御回路１１８およびメモリ１２０と、ＣＰＵ１１４が読み込み実行する為のプログラムが格納されているメモリ１２２で構成される。
【００５８】
２００は画像データが記録されている記録媒体であり、半導体メモリで構成されるＣＦカード、ＳＤカード、スマートメディアカードあるいは光ディスクで構成されるＣＤ等である。
【００５９】
３００は印刷依頼用インデックスシートであり、例えば図２に示すようなインデックス用画像３０２、画像ファイル名３０４が記載されており、印刷枚数を記入する印刷枚数指定枠３０６、印刷サイズを記入する印刷サイズ指定枠３０８、印刷形式を記入する印刷形式指定枠３１０が設けられている。３１２および３１４は実際に記入された印刷枚数および印刷サイズである。
【００６０】
１０２は記録媒体２００から画像を入力するための、メモリカードリーダあるいは光ディスクドライブ等の入力装置であり、ＣＰＵ１１４の指示に従い、記録媒体２００に記録されている画像データあるいは、画像データのサムネール、印刷情報等を読み取り、メモリ１２０に転送する。
【００６１】
１０４は印刷依頼用インデックスシート３００から、印刷情報を読み取るためのスキャナ装置であり、ＣＰＵ１１４の指示に従い、印刷依頼シートの情報を電子データに変換してメモリ制御回路１１８を介してメモリ１２０に転送する。
【００６２】
１０６は、メモリ１２０に転送された印刷依頼シートの電子データ中から、印刷情報を抽出するための文字認識回路であり、ＣＰＵ１１４の指示に従い、印刷対象ファイル名、印刷枚数、印刷サイズ、印刷形式等の印刷に必要な情報の抽出を行う。
【００６３】
１０８は画像処理回路であり、記録媒体２００からメモリ１２０に転送された画像データを、ＣＰＵ１１４の指示に従い、所定の大きさに拡大・縮小処理を行った後、変倍処理された画像データをメモリ制御回路１１８を介してメモリ１２０に転送する。
【００６４】
また、画像処理回路１０８は、記録媒体２００からメモリ１２０に転送された画像データがＪＰＥＧ等の圧縮処理がなされている場合には、ＣＰＵ１１４の指示に従い、伸長処理を行った後、伸長された画像データをメモリ制御回路１１８を介してメモリ１２０に転送する。
【００６５】
また、画像処理回路１０８は、メモリ１２０に転送された画像データと、文字認識回路１０６で抽出された印刷情報を合成して、印刷依頼シートを形成する画像データをメモリ制御回路１１８を介してメモリ１２０に転送する。
【００６６】
１１０は液晶ディスプレイ（ＬＣＤ）あるいはブラウン管（ＣＲＴ）等で構成される表示装置であり、メモリ１２０に読み込まれた画像データ、印刷情報および画像処理装置１００の操作方法に関する情報あるいは警告等を表示する。
【００６７】
１１２はプリンタであり、メモリ１２０に読み込まれて所定の大きさに変倍された画像データを印刷したり、画像処理回路１０８で形成されたメモリ１２０に記録された印刷依頼シートを印刷する。
【００６８】
１１４はＣＰＵであり、メモリ１２２に記録されたプログラムコードを読み込みながら、画像処理装置１００全体の動作を制御するものである。また、ＣＰＵ１１４は、キーボードあるいはタッチパネル等により構成される入力装置１１６の指示に従い、画像処理装置１００全体の動作を制御する。
【００６９】
１１８はメモリ制御回路であり、メモリ１２０に記録されたデータをカードリーダ１０２、スキャナ装置１０４、文字認識回路１０６、画像処理回路１０８、表示装置１１０、プリンタ１１２、ＣＰＵ１１４の間のデータ転送制御を行う。
【００７０】
１２０は画像データを一時的に保存したり、画像処理の際の作業領域として使用し得るメモリであり、１２２はＣＰＵ１１４が読み込むプログラムをコードが格納されており、またＣＰＵ１１４の作業領域としても使用し得るメモリである。
【００７１】
ＣＰＵ１１４による、画像処理装置１００の詳細な制御フローを図３に示すフローチャートにより説明する。
【００７２】
画像処理装置１００に電源が投入されると、表示装置１１０に初期化中のメッセージを表示し、内部状態を動作可能な状態に初期設定する（ステップＳ１０１）。
【００７３】
初期設定が完了すると、表示装置１１０は操作入力情報を表示し、動作モードの設定待ちとなる。入力装置１１６の指示があると、ＣＰＵ１１４は、入力装置１１６の入力指示にしたがい、使用する記録媒体、印刷モードの種類等を示す変数を内部メモリ１２２に記録する（ステップＳ１０２）。また、印刷モードによっては、印刷サイズ、印刷枚数の設定も行い、入力装置１１６により行い、設定情報に関する情報を内部メモリ１２２に記録する。
【００７４】
使用する記録媒体が設定されると、ＣＰＵ１１４は指定された記録媒体２００が確実にカードリーダ１０２に装着されているか否か、またデータを読み出し可能な状態にあるか否かのチェックを行う（ステップＳ１０３）。
【００７５】
ステップＳ１０３において、指定された記録媒体２００がカードリーダ１０２に装着されていない場合や、装着された記録媒体２００からデータの読み出しが不可能な状態である場合には、表示装置１１０に警告表示を行い（ステップＳ１０４）、ステップＳ１０２に戻る。
【００７６】
ステップＳ１０３において、カードリーダ１０２が指定された記録媒体２００からデータの読み出し可能な状態にある場合には、ステップＳ１０５において、動作モードの判定を行う。
【００７７】
ステップＳ１０５において、動作モードがインデックスプリントモードに設定されている場合には、ＣＰＵ１１４はカードリーダ１０２を介して、記録媒体２００に記録されている画像データの中から所定枚数のサムネール画像のみを選択し、メモリ制御回路１１８を介してメモリ１２０にサムネール画像を転送する（ステップＳ１１０）。
【００７８】
ステップＳ１１０において読み込まれた所定枚数のサムネール画像は、メモリ制御回路１１８を介して画像処理回路１０８においてＪＰＥＧ伸長処理を行い、再びメモリ制御回路１１８を介してメモリ１２０に転送する（ステップＳ１１１）。
【００７９】
画像処理回路１０８は、ステップＳ１１０において伸長された画像データを、メモリ制御回路１１８を介して読み込み、指定されたインデックスプリントに適切な画像サイズに変倍するとともに、図２に示す印刷依頼用インデックスシート３００の所定の場所に画像を合成して、メモリ制御回路１１８を介してメモリ１２０に転送する（ステップＳ１１２）。
【００８０】
ＣＰＵ１１４は、ステップＳ１１２で合成された印刷依頼用インデックスシートの画像を、メモリ制御回路１１８を介してプリンタ１１２に出力する（ステップＳ１１３）。
【００８１】
ＣＰＵ１１４は、カードリーダ１０２を介して、記録媒体２００に記録されている全ての画像データの読み込みが完了しているか否かを判断し（ステップＳ１１４）、全ての画像データを読み終えていない場合には、ステップＳ１１０に戻る。
【００８２】
ステップＳ１１４において、記録媒体２００から全ての画像データを読み終えている場合には、ＣＰＵ１１４は表示装置１１０を介して印刷情報に関するログの表示、例えば印刷したインデックスシートの枚数、料金等の表示を行い（ステップＳ１１５）、ステップＳ１０２に戻る。
【００８３】
このように、インデックスプリント用の画像データをサムネール画像から作成することにより、画像データの読み取り時間を大幅に短縮できることになり、印刷業務を効率化させることが可能になる。
【００８４】
ステップＳ１０５において、動作モードが通常プリントモードに設定されている場合には、ＣＰＵ１１４はカードリーダ１０２を介して、記録媒体２００に記録されている画像データを一枚ずつ選択し、メモリ制御回路１１８を介してメモリ１２０に画像データを転送する（ステップＳ１２０）。
【００８５】
画像処理回路１０８は、メモリ制御回路１１８を介して読み込まれた画像データをメモリ１２０から読み込み、ＪＰＥＧ伸長処理を行った後、ステップＳ１０２において設定された印刷サイズに従い変倍処理を行う(ステップＳ１２１)。
【００８６】
ステップＳ１２１において所定のサイズに変倍された画像データは、メモリ制御回路１１８を介してプリンタ１１２に転送され、ステップＳ１０２において設定された印刷枚数に従い、画像データの印刷を行う（ステップＳ１２２）。
【００８７】
ＣＰＵ１１４は、カードリーダ１０２を介して、記録媒体２００に記録されている全ての画像データの読み込みが完了しているか否かを判断し（ステップＳ１２３）、全ての画像データを読み終えていない場合には、ステップＳ１２０に戻る。
【００８８】
ステップＳ１２３において、記録媒体２００から全ての画像データを読み終えていると判断された場合には、ＣＰＵ１１４はステップＳ１０２において設定された動作モードがインデックスプリントを実行する設定になっているか否かを判断し（ステップＳ１２４）、インデックスプリントを実行する設定の場合には、ステップＳ１１０からステップＳ１１４を実行する。
【００８９】
ステップＳ１２４において、動作モードがインデックスプリントを実行しない設定になっている場合には、ＣＰＵ１１４は表示装置１１０を介して印刷情報に関するログの表示、例えば印刷した画像データの枚数、料金等の表示を行い（ステップＳ１１５）、ステップＳ１０２に戻る。
【００９０】
ステップＳ１０５において、動作モードが焼き増しプリントモードに設定されている場合には、ＣＰＵ１１４は、スキャナ装置１０４スキャナ装置１０４を介して印刷依頼用インデックスシート３００がスキャナ装置１０４スキャナ装置１０４に装着されているか否か、また読み取り可能な状態にあるか否かの判定を行う(ステップＳ１３０)。
【００９１】
ステップＳ１３０において、印刷依頼用インデックスシート３００が読み取り可能な状態にある場合には、スキャナ装置１０４スキャナ装置１０４は印刷依頼用インデックスシート３００の情報を読み取り、メモリ制御回路１１８を介して、メモリ１２０に読み取った電子データを転送する（ステップＳ１３１）。
【００９２】
ＣＰＵ１１４は、文字認識回路１０６を使用して、メモリ１２０に記録された印刷依頼用インデックスシートの情報から画像ファイル名、印刷枚数、印刷サイズ、印刷形式等の情報を抽出し、抽出された情報のうち、印刷枚数が少なくとも１枚以上である画像データの画像ファイル名、印刷枚数、印刷サイズ、印刷形式の一連の情報をＣＰＵ１１４の作業領域であるメモリ１２２に記録する（ステップＳ１３２）。
【００９３】
ステップＳ１３２において、抽出された印刷情報が、焼き増しプリントを実行するに十分な情報でない場合(ステップＳ１３３)、例えばスキャナの読み込みミス等により印刷情報が認識できない場合や、入力された印刷依頼シートが所定のフォーマットにしたがっていない場合には、ＣＰＵ１１４は、表示装置１１０を介して、警告表示を行い（Ｓ１４２）、ステップＳ１１５で印刷情報に関するログの表示、例えば印刷した画像データの枚数、料金等の表示を行い（ステップＳ１１５）、ステップＳ１０２に戻る。
【００９４】
ステップＳ１３２において、抽出された印刷情報が、焼き増しプリントを実行するに十分な情報である場合(ステップＳ１３３)、ＣＰＵ１１４はカードリーダ１０２を介して記録媒体２００から指定された画像データの検索を行う（ステップＳ１３４）。
【００９５】
ＣＰＵ１１４は、カードリーダ１０２を介して記録媒体２００に指定された画像データが検出できなかった場合には（ステップＳ１３５）、メモリ１２２に係る警告情報を保存する(ステップＳ１４０)と共に、表示装置１１０に警告表示を行う(ステップＳ１４１)。
【００９６】
カードリーダ１０２を介して記録媒体２００に指定された画像データが検出できた場合には（ステップＳ１３５）、検出された画像データをメモリ制御回路１１８を介してメモリ１２０に画像データを転送する（ステップＳ１３６）。
【００９７】
画像処理回路１０８は、メモリ制御回路１１８を介して読み込まれた画像データをメモリ１２０から読み込み、ＪＰＥＧ伸長処理を行った後、ステップＳ１３２において設定された印刷サイズに従い変倍処理を行う(ステップＳ１３７)。
【００９８】
ステップＳ１３７において所定のサイズに変倍された画像データは、メモリ制御回路１１８を介してプリンタ１１２に転送され、ステップＳ１３２において設定された印刷枚数に従い、画像データの印刷を行う（ステップＳ１３８）。
【００９９】
ＣＰＵ１１４は、カードリーダ１０２を介して、ステップＳ１３２において設定された全ての画像データの読み込みが完了しているか否かを判断し（ステップＳ１３９）、全ての画像データを読み終えていない場合には、ステップＳ１３４に戻る。
【０１００】
ステップＳ１３９において、ステップＳ１３２において設定された全ての画像データを読み終えていると判断した場合には、ＣＰＵ１１４は表示装置１１０を介して印刷情報に関するログの表示、例えば印刷した画像データの枚数、ステップＳ１４０で記録された警告情報および料金等の表示を行い（ステップＳ１１５）、ステップＳ１０２に戻る。
【０１０１】
ステップＳ１３０において、印刷依頼用インデックスシート３００が読み取り可能な状態にない場合には、ＣＰＵ１１４はカードリーダ１０２を介して、記録媒体２００に記録されている画像データを一枚ずつ選択し、メモリ制御回路１１８を介してメモリ１２０に画像データを転送する（ステップＳ１５０）。
【０１０２】
ＣＰＵ１１４は、ステップＳ１５０でメモリ１２０に読み込まれた画像データに、印刷に関する情報が付与されているか否かを判断し（ステップＳ１５０）、印刷情報が存在しない場合にはステップＳ１５４に進む。
【０１０３】
ステップＳ１５０において、画像データに印刷情報が付与されていると判断した場合には、画像処理回路１０８は、メモリ制御回路１１８を介して読み込まれた画像データをメモリ１２０から読み込み、ＪＰＥＧ伸長処理を行った後、画像データに付与されている印刷情報に従い変倍処理を行う(ステップＳ１５２)。
【０１０４】
ステップＳ１５２において所定のサイズに変倍された画像データは、メモリ制御回路１１８を介してプリンタ１１２に転送され、画像データに付与されている印刷情報に従い、所定枚数の印刷を行う（ステップＳ１５３）。
【０１０５】
ＣＰＵ１１４は、カードリーダ１０２を介して、記録媒体２００に記録されている全ての画像データの読み込みが完了しているか否かを判断し（ステップＳ１５４）、全ての画像データを読み終えていない場合には、ステップＳ１５０に戻る。
【０１０６】
ステップＳ１５４において、記録媒体２００から全ての画像データを読み終えていると判断された場合には、ＣＰＵ１１４は表示装置１１０を介して印刷情報に関するログの表示、例えば印刷した画像データの枚数、料金等の表示を行い（ステップＳ１１５）、ステップＳ１０２に戻る。
【０１０７】
本実施例では、焼き増しプリントを行う場合に印刷依頼用インデックスシートもしくは、画像データに記録された印刷情報データが存在しない場合には、印刷を行わないとの記述をしているが、入力装置１１６からの操作により、直接焼き増し画像データの選択、印刷枚数、印刷画像サイズ等を設定するように制御することももちろん可能である。
【実施例２】
【０１０８】
図４は、本発明の第一の実施形態に係る画像処理装置を拡張した画像印刷システムの基本構成を示したものである。
【０１０９】
４００は本発明の好適な実施の形態に係る画像処理装置であり、印刷画像データの入力装置であるカードリーダ１０２、印刷情報の入力装置であるスキャナ装置１０４スキャナ装置１０４および文字認識回路１０６、画像データの伸長処理・変倍処理等を行う画像処理回路１０８、画像の表示あるいは警告等を表示するために表示装置１１０、プリント画像および印刷依頼シートを出力するプリンタ１１２、画像処理回路全体を制御するＣＰＵ１１４、ＣＰＵ１１４へ動作指示を行うキーボード等の入力装置１１６、読み込んだ画像を一時的に保存する為のメモリ制御回路１１８およびメモリ１２０と、ＣＰＵ１１４が読み込み実行する為のプログラムが格納されているメモリ１２２と、さらに記録媒体２００から読み取られた画像データを記録するための、光ディスク装置１３０、磁気ディスク装置１３２、外部の記録装置１３６に接続する為のＳＣＳＩインターフェース１３４と、外部の電子カメラ１４２やカードリーダ１４４に接続する為のＵＳＢインターフェース１４０と、通信回線を介して接続される記録装置１５４に、画像データを記録する為の通信インターフェース１５０により構成される。
【０１１０】
５００は印刷依頼用インデックスシートであり、例えば図５に示すようなインデックス用画像３０２、画像ファイル名３０４が記載されており、印刷枚数を記入する印刷枚数指定枠３０６、印刷サイズを記入する印刷サイズ指定枠３０８、印刷形式を記入する印刷形式指定枠３１０が設けられている。３１２および３１４は実際に記入された印刷枚数および印刷サイズである。さらに、印刷されているインデックス用画像３０２が保存されている場所を特定するための画像データ記録位置情報５０２が印刷されている。
【０１１１】
光ディスク装置１３０、磁気ディスク装置１３２、ＳＣＳＩインターフェース１３４で接続される記録装置１３６、通信回線を介して接続される記録装置１５４は、記録媒体２００から読み込まれた画像データを一時的に保存するためのものである。
【０１１２】
１５０および１５２は、通信回線を介して接続される記録装置１５４に記録された画像データを、画像処理装置４００に取り込むための通信インターフェースであり、電話回線に接続する為のモデムあるいはインターネットに接続する為のＬＡＮカード等である。
【０１１３】
１４２および１４４はＵＳＢインターフェース１４０等を介して接続される電子カメラ１４２およびカードリーダ１４４であり、画像処理装置４００は、電子カメラ１４２に内蔵される半導体メモリに記録された画像データ或いは、カードリーダ１４４に装着された記録媒体２００に記録された画像データを、ＵＳＢインターフェース１４０およびメモリ制御回路１１８を介してメモリ１２０に取り込むことができる。
【０１１４】
ＣＰＵ１１４による、画像処理装置４００の詳細な制御フローを図６に示すフローチャートにより説明する。
【０１１５】
画像処理装置１００に電源が投入されると、表示装置１１０に初期化中のメッセージを表示し、内部状態を動作可能な状態に初期化する（ステップＳ２０１）。
【０１１６】
初期化が完了すると、表示装置１１０は操作入力情報を表示し、動作モードの設定待ちとなる。入力装置１１６の指示があると、ＣＰＵ１１４は、入力装置１１６の入力指示にしたがい、使用する記録装置および記録媒体、印刷モードの種類等を示す変数を内部メモリ１２２に記録する（ステップＳ２０２）。また、印刷モードによっては、印刷サイズ、印刷枚数の設定も行い、入力装置１１６により行い、設定情報に関する情報を内部メモリ１２２に記録する。
【０１１７】
使用する記録装置および記録媒体が設定されると、ＣＰＵ１１４は指定された記録装置にアクセス可能であるか否か、指定された記録装置の記録媒体から、画像データを読み出し可能な状態にあるか否か、さらに読み出された画像データを他の記録装置に転送・記録する場合には、転送先の記録装置にアクセス可能であるか否か、転送先の記録装置の記録媒体に、画像データが書き込み可能な状態にあるか否か、のチェックを行う（ステップＳ２０３）。
【０１１８】
ステップＳ２０３において、指定した記録装置からの画像データの読み出しが不可能な状態である場合もしくは、指定した記録装置への画像データの書き込みが不可能な状態である場合には、表示装置１１０に警告表示を行い（ステップＳ２０４）、ステップＳ２０２に戻る。
【０１１９】
ステップＳ２０３において、指定した記録装置からの画像データの読み出しが可能な状態にある場合には、ステップＳ２０５において、動作モードの判定を行う。
【０１２０】
ステップＳ２０２において画像データの読み込み装置が内蔵のカードリーダ１０２に設定され、動作モードがインデックスプリントモードに設定されている場合には、ＣＰＵ１１４はカードリーダ１０２を介して、記録媒体２００に記録されている画像データの中から所定枚数のサムネール画像のみを選択し、メモリ制御回路１１８を介してメモリ１２０にサムネール画像を転送する（ステップＳ２１０）。
【０１２１】
ステップＳ２１０において読み込まれた所定枚数のサムネール画像は、メモリ制御回路１１８を介して画像処理回路１０８においてＪＰＥＧ伸長処理を行い、再びメモリ制御回路１１８を介してメモリ１２０に転送する（ステップＳ２１１）。
【０１２２】
画像処理回路１０８は、ステップＳ２１０において伸長された画像データを、メモリ制御回路１１８を介して読み込み、指定されてインデックスプリントに適切な画像サイズに変倍するとともに、図２に示す印刷依頼用インデックスシート３００の所定の場所に画像を合成して、メモリ制御回路１１８を介してメモリ１２０に転送する（ステップＳ２１２）。
【０１２３】
ＣＰＵ１１４は、ステップＳ２１２で合成された印刷依頼用インデックスシートの画像を、メモリ制御回路１１８を介してプリンタ１１２に出力する（ステップＳ２１３）。
【０１２４】
ＣＰＵ１１４は、カードリーダ１０２を介して、記録媒体２００に記録されている全ての画像データの読み込みが完了しているか否かを判断し（ステップＳ２１４）、全ての画像データを読み終えていない場合には、ステップＳ２１０に戻る。
【０１２５】
ステップＳ２１４において、記録媒体２００から全ての画像データを読み終えている場合には、ＣＰＵ１１４は表示装置１１０を介して印刷情報に関するログの表示、例えば印刷したインデックスシートの枚数、料金等の表示を行い（ステップＳ２１５）、ステップＳ２０２に戻る。
【０１２６】
このように、インデックスプリント用の画像データをサムネール画像から作成することにより、画像データの読み取り時間を大幅に短縮できることになり、印刷業務を効率化させることが可能になる。
【０１２７】
ステップＳ２０２において画像データの読み込み装置が内蔵のカードリーダ１０２に設定され、動作モードが通常プリントモードに設定されている場合には、ＣＰＵ１１４はカードリーダ１０２を介して、記録媒体２００に記録されている画像データを一枚ずつ選択し、メモリ制御回路１１８を介してメモリ１２０に画像データを転送する（ステップＳ２２０）。
【０１２８】
画像処理回路１０８は、メモリ制御回路１１８を介して読み込まれた画像データをメモリ１２０から読み込み、ＪＰＥＧ伸長処理を行った後、ステップＳ２０２において設定された印刷サイズに従い変倍処理を行う(ステップＳ２２１)。
【０１２９】
ステップＳ２２１において所定のサイズに変倍された画像データは、メモリ制御回路１１８を介してプリンタ１１２に転送され、ステップＳ２０２において設定された印刷枚数に従い、画像データの印刷を行う（ステップＳ２２２）。
【０１３０】
ＣＰＵ１１４は、記録媒体２００からメモリ１２０に読み込まれた画像データを、メモリ制御回路１１８を介して、光ディスク装置１３０、磁気ディスク装置１３２、外部の記録装置１３６、１５４のいずれかに転送する(ステップＳ２２３)。転送先は、ステップＳ２０２のモード設定時に指定されているものとする。
【０１３１】
ＣＰＵ１１４は、カードリーダ１０２を介して、記録媒体２００に記録されている全ての画像データの読み込みが完了しているか否かを判断し（ステップＳ２２４）、全ての画像データを読み終えていない場合には、ステップＳ２２０に戻る。
【０１３２】
ステップＳ２２４において、記録媒体２００から全ての画像データを読み終えていると判断された場合には、ＣＰＵ１１４はステップＳ２０２において設定された動作モードがインデックスプリントを実行する設定になっているか否かを判断し（ステップＳ２２５）、インデックスプリントを実行する設定の場合には、ステップＳ２１０からステップＳ２１４を実行する。
【０１３３】
ただしステップＳ２１２では、ステップＳ２２３で画像データを転送した記録装置および記録位置が識別できる情報を合わせて合成し、ステップＳ２２３で印刷する。
【０１３４】
ステップＳ２２５において、動作モードがインデックスプリントを実行しない設定になっている場合には、ＣＰＵ１１４は表示装置１１０を介して印刷情報に関するログの表示、例えば印刷した画像データの枚数、料金、画像データの保存先等の表示を行い（ステップＳ２１５）、ステップＳ２０２に戻る。
【０１３５】
ステップＳ２０５において、動作モードが焼き増しプリントモードに設定されている場合には、ＣＰＵ１１４は、スキャナ装置１０４スキャナ装置１０４を介して印刷依頼用インデックスシート３００がスキャナ装置１０４スキャナ装置１０４に装着されているか否か、また読み取り可能な状態にあるか否かの判定を行う(ステップＳ２３０)。
【０１３６】
ステップＳ２３０において、印刷依頼用インデックスシート３００が読み取り可能な状態にある場合には、スキャナ装置１０４スキャナ装置１０４は印刷依頼用インデックスシート３００の情報を読み取り、メモリ制御回路１１８を介して、メモリ１２０に読み取った電子データを転送する（ステップＳ２３１）。
【０１３７】
ＣＰＵ１１４は、文字認識回路１０６を使用して、メモリ１２０に記録された印刷依頼用インデックスシートの情報から画像ファイル名、印刷枚数、印刷サイズ、印刷形式等の情報を抽出し、抽出された情報のうち、印刷枚数が少なくとも１枚以上である画像データの画像ファイル名、印刷枚数、印刷サイズ、印刷形式の一連の情報をＣＰＵ１１４の作業領域であるメモリ１２２に記録する（ステップＳ２３２）。さらに、印刷すべき画像データが記録されている場所、例えば図５で図示されるＵＲＬを抽出し、ＣＰＵ１１４の作業領域であるメモリ１２２に記録する。
【０１３８】
ステップＳ２３２において、抽出された印刷情報が、焼き増しプリントを実行するに十分な情報でない場合(ステップＳ２３３)、例えばスキャナの読み込みミス等により印刷情報が認識できない場合や、入力された印刷依頼シートが所定のフォーマットにしたがっていない場合には、ＣＰＵ１１４は、表示装置１１０を介して、警告表示を行い（Ｓ２４２）、ステップＳ２１５で印刷情報に関するログの表示、例えば印刷した画像データの枚数、料金等の表示を行い（ステップＳ２１５）、ステップＳ２０２に戻る。
【０１３９】
ステップＳ２３２において、抽出された印刷情報が、焼き増しプリントを実行するに十分な情報である場合(ステップＳ２３３)、ＣＰＵ１１４はステップ２３２で設定された記録装置１５４にアクセスし、画像データの検索を行う（ステップＳ２３４）。
【０１４０】
ＣＰＵ１１４は、記録装置１５４に指定された画像データが検出できなかった場合には（ステップＳ２３５）、メモリ１２２に係る警告情報を保存する(ステップＳ２４０)と共に、表示装置１１０に警告表示を行う(ステップＳ２４１)。
【０１４１】
記録装置１５４に指定された画像データが検出できた場合には（ステップＳ２３５）、検出された画像データを通信インターフェース１５０、１５２およびメモリ制御回路１１８を介してメモリ１２０に画像データを転送する（ステップＳ２３６）。
【０１４２】
画像処理回路１０８は、メモリ制御回路１１８を介して読み込まれた画像データをメモリ１２０から読み込み、ＪＰＥＧ伸長処理を行った後、ステップＳ２３２において設定された印刷サイズに従い変倍処理を行う(ステップＳ２３７)。
【０１４３】
ステップＳ２３７において所定のサイズに変倍された画像データは、メモリ制御回路１１８を介してプリンタ１１２に転送され、ステップＳ２３２において設定された印刷枚数に従い、画像データの印刷を行う（ステップＳ２３８）。
【０１４４】
ＣＰＵ１１４は、ステップＳ２３２において設定された全ての画像データの読み込みが完了しているか否かを判断し（ステップＳ２３９）、全ての画像データを読み終えていない場合には、ステップＳ２３４に戻る。
【０１４５】
ステップＳ２３９において、ステップＳ２３２において設定された全ての画像データを読み終えていると判断した場合には、ＣＰＵ１１４は表示装置１１０を介して印刷情報に関するログの表示、例えば印刷した画像データの枚数、ステップＳ２４０で記録された警告情報および料金等の表示を行い（ステップＳ２１５）、ステップＳ２０２に戻る。
【０１４６】
ステップＳ２３０において、印刷依頼用インデックスシート３００が読み取り可能な状態にない場合には、表示装置１１０に警告表示を行い（ステップＳ２０４）、ステップＳ２０２に戻る。
【０１４７】
以上説明した第二の実施例においては、焼き増しプリントモードの場合、印刷依頼用インデックスシートが必須な記述となっているが、入力装置１１６からの操作により、直接焼き増し画像データの選択、印刷枚数、印刷画像サイズ等を設定するように制御することももちろん可能である。
【０１４８】
更に、本発明の目的は、前述した第一の実施形態或いは第二の実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成される。
【０１４９】
この場合、記憶媒体から読出されたプログラムコード自体が前述した実施形態の機能を実現することになり、そのプログラムコードを記憶した記憶媒体は本発明を構成することになる。
【０１５０】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１５１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【０１５２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【０１５３】
以上説明した第一の実施例および第二の実施例に示されるように、インデックスプリント用の画像データをサムネール画像から作成することにより、画像データの読み取り時間を大幅に短縮できることになり、印刷業務を効率化させることが可能になる。
【０１５４】
また、印刷依頼用のインデックスシートに記入された情報を元に、焼き増しプリントを実行させることにより、焼き増しプリント時の入力作業によるミスの混入を防止すると共に、印刷時の業務効率が大幅に改善される。また。焼き増しを注文する依頼者は、印刷依頼用のインデックスプリント画像から、焼き増ししたい画像を簡単に特定でき、かつ、デジタルカメラやパソコンの操作に詳しくなくても、簡単に注文することが可能になる。
【０１５５】
さらに第二の実施形態において説明したように、光ディスク装置、磁気ディスク装置あるいは外部の記録装置に画像データを転送記録し、記録先を印刷依頼用インデックスシートに記載することによって、オリジナル画像を持たないユーザーであっても、印刷依頼用インデックスシートさえあれば焼き増し注文することが可能になる。
【０１５６】
また、従来のように焼き増し印刷依頼中は、画像データが記録された半導体メモリカードをプリントサービス業者に預る必要があったことから、サービス依頼中は、メモリーカードが使用できない状況に陥っていたが、第二の実施形態において説明したように、他の記録装置に画像データを一時的に記録することにより、上記課題は解決される。
【図面の簡単な説明】
【０１５７】
【図１】第一の実施形態における画像処理装置および画像印刷システムの概略構成図である。
【図２】第一の実施形態における印刷依頼用インデックスシートを示す図である。
【図３】第一の実施形態における画像処理装置の制御フローを示すフローチャートである。
【図４】第二の実施形態における画像印刷システムの基本構成図である。
【図５】第二の実施形態における印刷依頼用インデックスシートを示す図である。
【図６】第二の実施形態における画像処理装置の制御フローを示すフローチャートである。
【符号の説明】
【０１５８】
１００  画像処理装置
１０２  カードリーダ
１０４  スキャナ装置
１０６  文字認識回路
１０８  画像処理回路
１１０  表示装置
１１２  プリンタ
１１４  ＣＰＵ
１１６  入力装置
１１８  メモリ制御回路
１２０  メモリ
１２２  メモリ
１３０  光ディスク装置
１３２  磁気ディスク装置
１３４  ＳＣＳＩインターフェース
１３６  記録装置
１４０  ＵＳＢインターフェース
１４２  電子カメラ
１４４  カードリーダ
１５０  通信インターフェース
１５２  通信インターフェース
１５４  記録装置
２００  記録媒体
３００  印刷依頼用インデックスシート
３０２  インデックス用画像
３０４  画像ファイル名
３０６  印刷枚数指定枠
３０８  印刷サイズ指定枠
３１０  印刷形式指定枠
３１２  印刷枚数
３１４  印刷サイズ
４００  画像処理装置
５００  印刷依頼用インデックスシート
５０２  画像データ記録位置情報
【図１】
2010004274.tif 000003
【図２】
2010004274.tif 000004
【図３】
2010004274.tif 000005
【図４】
2010004274.tif 000006
【図５】
2010004274.tif 000007
【図６】
2010004274.tif 000008